(57)【要約】【課題】被調和空間の空気の入れ換えを実行させつつ、効率良く空気調和機を動作させることができる空気調和機制御装置を提供する。【解決手段】被調和空間における複数の区画の夫々に設けられ、複数の区画の夫々の温度を所望の温度とするための複数の空気調和機と、被調和空間の外部の空気を被調和空間に吸気するための複数の吸気口と、を有する空調システムの空調制御装置において、複数の区画の夫々における人の有無を検出する検出装置と、複数の区画のうち人が検出される区画の温度と被調和空間の外部の外部温度との差が、複数の区画のうち人が検出されない区画の温度と外部温度との差よりも大きくなるよう、複数の空気調和機を制御するとともに、複数の吸気口のうち、人が検出される区画に近い吸気口の吸気量より、人が検出される区画から遠い吸気口の吸気量が多くなるよう、複数の吸気口の吸気量を制御する制御装置と、を備える。【選択図】図１
2011158153.tif 000002
【特許請求の範囲】
【請求項１】
被調和空間における複数の区画の夫々に設けられ、前記複数の区画の夫々の温度を所望の温度とするための複数の空気調和機と、前記被調和空間の外部の空気を前記被調和空間に吸気するための複数の吸気口と、を有する空調システムの空調制御装置において、
前記複数の区画の夫々における人の有無を検出する検出装置と、
前記複数の区画のうち人が検出される区画の温度と前記被調和空間の外部の外部温度との差が、前記複数の区画のうち人が検出されない区画の温度と前記外部温度との差よりも大きくなるよう、前記複数の空気調和機を制御するとともに、前記複数の吸気口のうち、前記人が検出される区画に近い吸気口の吸気量より、前記人が検出される区画から遠い吸気口の吸気量が多くなるよう、前記複数の吸気口の吸気量を制御する制御装置と、
を備えることを特徴とする空調制御装置。
【請求項２】
請求項１に記載の空調制御装置であって、
前記検出装置は、
前記複数の区画の夫々で検出される人の数を判断し、
前記制御装置は、
前記人が検出される区画の人の数に応じて、前記複数の吸気口の吸気量を制御すること、
を特徴とする空調制御装置。
【請求項３】
請求項１または請求項２に記載の空調制御装置であって、
前記制御装置は、
前記人が検出される区画に近い吸気口の吸気量がゼロもしくはほぼゼロとなるように当該吸気口の吸気量を制御すること、
を特徴とする空調制御装置。
【請求項４】
請求項１〜３の何れか一項に記載の空調制御装置であって、
前記制御装置は、
前記複数の吸気口のうち、前記人が検出される区画から最も遠い吸気口の吸気量を制御すること、
を特徴とする空調制御装置。
【請求項５】
請求項１に記載の空調制御装置であって、
前記被調和空間の空気を外部に排気するための複数の排気口を更に備え、
前記制御装置は、
前記複数の排気口のうち、前記人が検出される区画に近い排気口の排気量より、当該人が検出される区画から遠い排気口の排気量が多くなるよう、前記複数の排気口の排気量を制御すること、
を特徴とする空調制御装置。
【請求項６】
請求項５に記載の空調制御装置であって、
前記検出装置は、
前記複数の区画の夫々で検出される人の数を判断し、
前記制御装置は、
前記人が検出される区画の人の数に応じて、前記複数の排気口の排気量を制御すること、
を特徴とする空調制御装置。
【発明の詳細な説明】
【技術分野】
【０００１】
本発明は、空調制御装置に関する。
【背景技術】
【０００２】
例えば、オフィスビルにおける事務所等においては、事務所内の空気を調和するために複数の空気調和機が設けられることがある。このような事務所では、空気調和機の消費電力を抑制するために、例えば、人のいる領域と人のいない領域とで夫々の領域の空気調和機の動作条件が変更されることがある（例えば、特許文献１参照）。
【先行技術文献】
【特許文献】
【０００３】
【特許文献１】特開平１１−３１１４３７号公報
【発明の概要】
【発明が解決しようとする課題】
【０００４】
ところで、一般的な事務所では、そこで働く人の数に応じて必要な換気量が定められている。そして、事務所の内部の空気は、吸排気口等を介して外部の空気と入れ換えられる。例えば冷房中に、人のいる領域に設けられた吸気口を介して室内より温度が高い外部の空気が導入されると、人のいる領域の温度は著しく上昇する。このため、このような場合、空気調和機の効率が低下するという問題がある。
【０００５】
本発明は上記課題を鑑みてなされたものであり、被調和空間の空気の入れ換えを実行させつつ、効率良く空気調和機を動作させることができる空気調和機制御装置を提供することを目的とする。
【課題を解決するための手段】
【０００６】
上記目的を達成するため、本発明の一つの側面に係る空気調和機制御装置は、被調和空間における複数の区画の夫々に設けられ、前記複数の区画の夫々の温度を所望の温度とするための複数の空気調和機と、前記被調和空間の外部の空気を前記被調和空間に吸気するための複数の吸気口と、を有する空調システムの空調制御装置において、前記複数の区画の夫々における人の有無を検出する検出装置と、前記複数の区画のうち人が検出される区画の温度と前記被調和空間の外部の外部温度との差が、前記複数の区画のうち人が検出されない区画の温度と前記外部温度との差よりも大きくなるよう、前記複数の空気調和機を制御するとともに、前記複数の吸気口のうち、前記人が検出される区画に近い吸気口の吸気量より、前記人が検出される区画から遠い吸気口の吸気量が多くなるよう、前記複数の吸気口の吸気量を制御する制御装置と、を備える。
【発明の効果】
【０００７】
被調和空間の空気の入れ換えを実行させつつ、効率良く空気調和機を動作させることができる空気調和機制御装置を提供できる。
【図面の簡単な説明】
【０００８】
【図１】本発明の一実施形態である空調システム１０の構成を示す図である。
【図２】事務所１５の区画を示す平面図である。
【図３】事務所１５における区画１の側面図である。
【図４】コンピュータ２１の構成を示す図である。
【図５】ＣＰＵ７１が実現する機能ブロックを示す図である。
【図６】区画７に人が検出された場合に温度算出部８２が算出する各区画の設定温度の一例を示す図である。
【図７】区画１３に人が検出された場合に温度算出部８２が算出する各区画の設定温度の一例を示す図である。
【図８】区画７，１３に人が検出された場合に温度算出部８２が算出する各区画の設定温度の一例を示す図である。
【図９】コンピュータ２１が実行する処理の一例を示すフローチャートである。
【図１０】区画７に人が検出された場合の温度分布及び吸排気について説明するための図である。
【発明を実施するための形態】
【０００９】
本明細書および添付図面の記載により、少なくとも以下の事項が明らかとなる。
【００１０】
図１は、本発明の一実施形態であり、例えばオフィスビルにおける事務所１５の空気を調和するための空調システム１０の構成を示す図である。図２は、事務所１５内の空間（被調和空間）の区画を示す平面図である。なお、事務所１５は、例えば、区画１〜１６の１６個の仮想的な区画に区切られている。図３は、事務所１５における区画１の側面図である。
【００１１】
空調システム１０は、コントローラ２０、コンピュータ２１、カメラ３０，３１、通信用アダプタ４０、インターフェース（ＩＦ：Interface）装置４１，４２、室外機４５、空気調和機（室内機）Ａ１〜Ａ１６、吸気装置Ｂ１〜Ｂ１６、排気装置Ｃ１〜Ｃ１６、及び照明Ｄ１〜Ｄ１６含んで構成される。なお、コンピュータ２１、カメラ３０，３１は、空調制御装置に相当する。
【００１２】
コントローラ２０は、例えば、空気調和機Ａ１〜Ａ１６のオンオフ、冷暖房の選択、温度、及び風量等を利用者が設定するためのいわゆる操作パネルである。また、コントローラ２０が操作されると、吸気装置Ｂ１〜Ｂ１６の吸気量、排気装置Ｃ１〜Ｃ１６の排気量、さらに、照明Ｄ１〜Ｄ１６のオンオフ及び照度が設定される。なお、コントローラ２０の操作結果は、コンピュータ２１へと送信される。
【００１３】
コンピュータ２１（制御装置）は、空調システム１０を統括制御する装置である。具体的には、コンピュータ２１は、コントローラ２０の操作結果や、後述するカメラ３０，３１で撮影された映像に基づいて、空気調和機Ａ１〜Ａ１６、吸気装置Ｂ１〜Ｂ１６、排気装置Ｃ１〜Ｃ１６、及び照明Ｄ１〜Ｄ１６を制御する。なお、コンピュータ２１の詳細については後述する。
【００１４】
カメラ３０は、区画１の天井に設けられ、事務所１５の内の空間を撮影する。カメラ３１は、例えば、区画１６の天井（不図示）に設けられ、事務所１５の内の空間を撮影する。なお、カメラ３０，３１により、事務所１５の全ての領域が撮影されることとする。また、コンピュータ２１及びカメラ３０，３１は、検出装置に相当する。
【００１５】
通信用アダプタ４０は、コンピュータ２１が空気調和機Ａ１〜Ａ１６及び室外機４５を制御できるよう、コンピュータ２１と、空気調和機Ａ１〜Ａ１６及び室外機４５を接続する。  
インターフェース装置（ＩＦ装置）４１は、コンピュータ２１が吸気装置Ｂ１〜Ｂ１６及び排気装置Ｃ１〜Ｃ１６を制御できるよう、コンピュータ２１と、吸気装置Ｂ１〜Ｂ１６及び排気装置Ｃ１〜Ｃ１６を接続する。  
インターフェース装置４２は、コンピュータ２１が照明Ｄ１〜Ｄ１６を制御できるよう、コンピュータ２１と、照明Ｄ１〜Ｄ１６を接続する。  
室外機４５は、空気調和機Ａ１〜Ａ１６に接続され、空気調和機Ａ１〜Ａ１６が調和空気を供給する際に空気調和機Ａ１〜Ａ１６とともに動作する。
【００１６】
空気調和機Ａ１は、図３に示すように、区画１の天井に設けられ、コンピュータ２１の制御に応じて、送風口を介して区画１に調和空気を供給する。なお、空気調和機Ａ１には、温度センサ（不図示）が設けられている。また、空気調和機Ａ１は、前述の温度センサの温度、すなわち、区画１の温度が所望の温度となるように調和空気を供給する。  
空気調和機Ａ２〜Ａ１６は、区画２〜１６の天井に夫々設けられ、空気調和機Ａ１と同様に、区画２〜１６に調和空気を供給する。
【００１７】
吸気装置Ｂ１は、区画１の天井に設けられ、コンピュータ２１の制御に応じて、吸気口を介して事務所１５の外部の空気を区画１へと吸気する。  
吸気装置Ｂ２〜Ｂ１６は、区画２〜１６の天井に夫々設けられ、吸気装置Ｂ１と同様に、外部の空気を区画２〜１６へと吸気する。なお、吸気装置Ｂ１〜Ｂ１６の夫々には、外部の空気を吸気するためのファン（不図示）が設けられている。
【００１８】
排気装置Ｃ１は、区画１の天井に設けられ、コンピュータ２１の制御に応じて、排気口を介して事務所１５の空気を外部へと排気する。  
排気装置Ｃ２〜Ｃ１６は、区画２〜１６の天井に夫々設けられ、排気装置Ｃ１と同様に、事務所の空気を外部へと排気する。なお、排気装置Ｃ１〜Ｃ１６の夫々には、事務所の空気を排気するためのファン（不図示）が設けられている。
【００１９】
照明Ｄ１は、区画１の天井に設けられ、コンピュータ２１の制御に応じた照度で発光する。照明Ｄ２〜Ｄ１６は、区画２〜１６の天井に夫々設けられ、照明Ｄ１と同様である。
【００２０】
このように、本実施形態では、区画ｎ（ｎは１〜１６までの自然数）の天井には、空気調和機Ａｎ、吸気装置Ｂｎ、排気装置Ｃｎ、及び照明Ｄｎが設置されている。
【００２１】
＝＝コンピュータ２１の詳細＝＝
コンピュータ２１は、図４に示すように、メモリ７０、及びＣＰＵ７１を含んで構成される。
【００２２】
メモリ７０は、例えば、ＣＰＵ７１が実行するためのプログラムデータ、事務所１５における空気調和機Ａ１〜Ａ１６、吸気装置Ｂ１〜Ｂ１６、排気装置Ｃ１〜Ｃ１６、及び照明Ｄ１〜Ｄ１６の設置位置に関する位置データを記憶する。さらに、メモリ７０は、事務所１５に在籍する人の数と、在籍している人に応じた必要な吸排気量との関係を示す吸排気量データを記憶する。
【００２３】
ＣＰＵ７１は、メモリ７０に記憶されたプログラムデータを実行することにより、各種機能を実現する。具体的には、ＣＰＵ７１は、図５に示すような、検出部８０、人数判断部８１、温度算出部８２、照度算出部８３、吸排気量算出部８４、選択部８５，８６、及び制御部８７の機能を実現する。
【００２４】
検出部８０は、カメラ３０，３１からの映像に基づいて、事務所１５における人の有無を検出する。  
人数判断部８１は、カメラ３０，３１からの映像に基づいて、事務所１５のどの区画に何人いるかを判断する。
【００２５】
温度算出部８２は、各区画の人の有無に基づいて、各区画の設定温度を算出する。具体的には、温度算出部８２は、人が検出される区画の温度と事務所１５の外部の外部温度との差が、人が検出されない区画の温度と外部温度との差よりも大きくなるように、各区画の設定温度を算出する。例えば冷房時は、人が検出される区画を中心とし、中心から遠くなる程、徐々に温度が高くなるように各区画の設定温度を算出する。つまり、温度算出部８２は、人が検出される区画の温度をＴ１℃とする場合、人が検出される区画に隣接する区画の温度を（Ｔ１＋１）℃とし、さらに、その外側の区画の温度を（Ｔ１＋２）℃とする。但し、例えば、各区画の温度が外部温度と等しくなるようなことがないよう、算出される各区画の温度には、上限値が設けられている。なお、上限値は、例えば、固定値であっても良いし、室外機４５等で検出される外部温度との関係で定まる値であっても良い。
【００２６】
図６は、例えば区画７にのみに人が検出された場合に、温度算出部８２が算出する各区画の温度の一例である。また、図７は、例えば区画１３にのみに人が検出された場合に、温度算出部８２が算出する各区画の温度の一例である。なお、図６，７の括弧内は、区画を示す数字である。
【００２７】
また、温度算出部８２は、人が検出される区画が２以上存在する場合、算出された各区画の温度のうち、外部温度との差が大きくなる温度を選択する。具体的には、例えば、区画７，１３に人が検出された場合、区画５，１０，１５以外の区画における温度は、区画７を中心として算出した場合と、区画１３を中心として算出した場合とで異なる。この場合には、温度算出部８２は、図８に示すように、各区画の温度と外部温度との差が大きくなる方、すなわち、各区画でより低い温度を選択して設定温度とする。
【００２８】
一方、暖房時の温度算出部８２は、人が検出される区画を中心に、中心から遠くなる程、徐々に温度が低くなるように各区画の設定温度を算出する。つまり、例えば、温度算出部８２は、人が検出される区画の温度をＴ２℃とする場合、人が検出される区画に隣接する区画の温度を（Ｔ２−１）℃とし、更にその外側の区画の温度を（Ｔ２−２）℃とする。なお、人が検出される区画が２以上存在する場合、暖房時も冷房時と同様に、算出された各区画の温度のうち、外部温度との差が大きくなる温度が選択される。但し、例えば、各区画の温度が外部温度と等しくなるようなことがないよう、算出される各区画の温度には、下限値が設けられている。なお、下限値は、例えば、固定値であっても良いし、外部温度との関係で定まる値であっても良い。
【００２９】
照度算出部８３は、各区画の人の有無に基づいて、各区画の照明の照度を算出する。具体的には、照度算出部８３は、人が検出される区画を中心とし、中心から遠くなる程、徐々に照明の照度が低くなるように各区画の照度を算出する。なお、人が検出される区画が２以上ある場合、算出された各区画の照度のうち、照度算出部８３はより明るい照度を選択する。
【００３０】
吸排気量算出部８４は、事務所１５内の人の数と、前述した吸排気量データとに基づいて、事務所１５内の必要な吸気量及び排気量を算出する。このため、吸排気量算出部８４が算出する吸気量、排気量は、人の数の増加に応じて大きくなる。
【００３１】
選択部８５は、人が検出される区画及び位置データに基づいて、吸気を実行する吸気装置を選択する。具体的には、選択部８５は、人が検出される区画から最も遠い位置に設けられた吸気装置を選択する。選択された吸気装置の吸気口で吸気できる量が、吸排気量算出部８４で算出された吸気量に満たない場合、選択部８５は、選択された吸気装置の吸気量の総和が、算出された吸気量よりも多くなるまで選択する吸気装置の数を増加させる。この際、選択部８５は、人が検出される区画から、遠い順に吸気装置を選択する。また、選択部８５は、人が検出される区画が２以上ある場合、例えば、夫々の区画からの距離の和が最も長くなるような吸気装置を選択する。
【００３２】
選択部８６は、人が検出される区画、位置データ、選択部８５が選択した吸気装置の位置に基づいて、排気を実行する排気装置を選択する。具体的には、選択部８６は、人が検出される区画からの距離と、選択部８５が選択した吸気装置の位置からの距離の和が最も長くなる位置に設けられた排気装置を選択する。選択された排気装置の排気口で排気できる量が、吸排気量算出部８４で算出された排気量に満たない場合、選択部８６は、選択された排気装置の排気量の総和が、算出された排気量よりも多くなるまで選択する排気装置の数を増加させる。この際、選択部８６は、人が検出される区画からの距離と選択部８５が選択した吸気装置からの距離の和が長い順に吸気装置を選択する。また、選択部８６は、人が検出される区画が２以上ある場合、例えば、夫々の区画からの距離と、選択部８５が選択した吸気装置の位置からの距離の和が最も長くなるような排気装置を選択する。
【００３３】
制御部８７は、コントローラ２０の操作結果や、算出結果等の各種情報に基づいて、空気調和機Ａ１〜Ａ１６、吸気装置Ｂ１〜Ｂ１６、排気装置Ｃ１〜Ｃ１６、及び照明Ｄ１〜Ｄ１６を制御する。制御部８７は、コントローラ２０の操作結果が出力されると、操作結果に応じて空気調和機Ａ１〜Ａ１６等の機器を制御する。一方、コントローラ２０から操作結果が出力されない場合、制御部８７は、温度算出部８２の算出結果に基づいて、空気調和機Ａ１〜Ａ１６を制御し、照度算出部８３の算出結果に基づいて、照明Ｄ１〜Ｄ１６を制御する。さらに、制御部８７は、吸排気量算出部８４の算出結果と、選択部８５，８６の選択結果とに基づいて、吸気装置Ｂ１〜Ｂ１６、排気装置Ｃ１〜Ｃ１６を制御する。
【００３４】
＝＝コンピュータ２１が実行する処理の一例＝＝
ここで、コントローラ２０が操作されない場合におけるコンピュータ２１が実行する処理の一例を、図９を参照しつつ説明する。
【００３５】
まず、検出部８０は、事務所１５の人の有無を検出する（Ｓ１００）。そして、人が検出されると（Ｓ１００：ＹＥＳ）、人数判断部８１は、事務所１５の人の数を区画ごとに判断する（Ｓ１０１）。一方、人が検出されないと（Ｓ１００：ＮＯ）、検出部８０は、処理Ｓ１００を実行する。そして、温度算出部８２は、人が検出された区画を中心に、各区画の設定温度を算出する（Ｓ１０２）。また、照度算出部８３は、人が検出された区画を中心に、各区画の照度を算出する（Ｓ１０３）。
【００３６】
そして、吸排気量算出部８４は、人の数と、吸排気データとに基づいて、事務所１５内の必要な吸気量及び排気量を算出する（Ｓ１０４）。さらに、選択部８５は、人が検出された区画と、位置データとに基づいて、制御すべき吸気装置を選択する（Ｓ１０５）。また、選択部８６は、人が検出された区画と、位置データと、選択部８５の選択結果とに基づいて、制御すべき排気装置を選択する（Ｓ１０６）。そして、制御部８７は、算出結果や選択結果等の各種情報に基づいて、空気調和機Ａ１〜Ａ１６、吸気装置Ｂ１〜Ｂ１６、排気装置Ｃ１〜Ｃ１６、及び照明Ｄ１〜Ｄ１６を制御する（Ｓ１０７）。なお、処理１０７が実行されると、再び、処理Ｓ１００が実行される。
【００３７】
このように、本実施形態のコンピュータ２１は、コントローラ２０が操作されない場合には、事務所１５にいる人の数に基づいて空気調和機Ａ１〜Ａ１６等の機器を制御する。
【００３８】
＝＝空調システム１０の動作＝＝
ここで、図９，１０を参照しつつ、例えば、事務所１５の区画７に３人いる場合における空調システム１０の冷房時の動作について説明する。なお、ここでは、コントローラ２０は予め操作され、事務所１５全体の設定温度、すなわち全ての空気調和機の設定温度は、例えば２６℃に設定されていることとする。また、例えば、全ての照明は照度が最大に設定され、吸気量及び排気量も最大となるよう設定されていることとする。また、ここでは、外部温度は、例えば３５℃であることとし、前述した温度算出部８２が算出する冷房時の上限値は、例えば３０℃であることとする。
【００３９】
まず、カメラ３０，３１からの映像に基づいて、検出部８０は処理Ｓ１００を実行することにより、事務所１５内に人がいることを検出する。そして、人数判断部８１は、処理１０１を実行することにより、事務所１５の区画７の人の数が３人であることを判断する。温度算出部８２は、処理Ｓ１０２を実行し、区画７を中心に、各区画の設定温度を算出する。具体的には、温度算出部８２は、図１０に示す様に、区画７を予めコントローラ２０で設定された２６℃とし、区画７から遠くなる程、徐々に温度が高くなるように各区画の設定温度を算出する。なお、本実施形態では、例えば、区画２〜４，６，８，１０〜１２を２７℃と算出され、区画１，５，９，１３〜１６を２８℃と算出される。
【００４０】
そして、照度算出部８３は、処理Ｓ１０３を実行し、区画７を中心とし、区画７から遠くなる程、徐々に照明の照度が低くなるように各区画の照度を算出する。なお、本実施形態では、例えば、区画２〜４，６，８，１０〜１２照度は、区画７の照度の８０％と算出され、区画１，５，９，１３〜１６の照度は、区画７の照度の７０％と算出される。
【００４１】
吸排気量算出部８４は、処理Ｓ１０４を実行することにより、事務所１５内の人の数である３人と、吸排気データとに基づいて、必要な吸気量及び排気量を算出する。なお、ここでは、３人の人のために必要な吸気量、排気量は、吸気装置Ｂ１〜Ｂ１６のうち何れか一つの吸気装置と、排気装置Ｃ１〜Ｃ１６のうちの何れか一つの排気装置とで十分まかなえるものとする。
【００４２】
そして、選択部８５は、処理Ｓ１０５を実行することにより、区画７から最も遠い位置にある吸気装置、すなわち、区画１３に設けられた吸気装置Ｂ１３を選択する。さらに、選択部８６は、処理Ｓ１０６を実行することにより、区画７からの距離と、区画１３からの距離との和が最も長くなる区画１に設けられた排気装置Ｃ１を選択する。そして、制御部８７は、処理Ｓ１０７を実行し、空気調和機Ａ１〜Ａ１６、吸気装置Ｂ１〜Ｂ１６、排気装置Ｃ１〜Ｃ１６、及び照明Ｄ１〜Ｄ１６を制御する。
【００４３】
この結果、事務所１５における各区画の設定温度は、図１０に示すように変化する。さらに、外部の空気は、区画１３における吸気装置Ｂ１３の吸気口のみから吸気され、事務所１５の空気は、区画１における排気装置Ｃ１の排気口のみから排気される。つまり、吸気装置Ｂ１３以外の吸気装置は停止され、排気装置Ｃ１以外の排気装置は停止される。
【００４４】
以上、本実施形態の空調システム１０について説明した。コンピュータ２１は、カメラ３０，３１からの映像に基づいて、各区画における人の有無を検出する。また、コンピュータ２１は、本実施形態で説明した様に、人が検出される区画（例えば、区画７）の温度と外部温度との差が、区画７以外の温度と外部温度との差よりも大きくなるように、空気調和機Ａ１〜Ａ１６を制御する。さらに、コンピュータ２１は、吸気装置Ｂ１〜Ｂ１６の夫々の吸気口のうち、区画７から遠い区画１３の吸気口から外部の空気が吸気されるように吸気装置Ｂ１〜Ｂ１６を制御する。ところで、事務所１５内の空気を入れ換える際には、所定の排気口と、人のいる区画７の吸気口とを用いて空気を入れ換えても良い。しかしながら、区画７の吸気口で空気が吸気される場合よりも、区画１３の吸気口で吸気される方が、区画７における温度の上昇を抑制することができる。したがって、本実施形態では、空気の入れ換えを実行させつつ、効率良く空気調和機Ａ１〜Ａ１６を動作させることが可能となる。
【００４５】
また、吸気装置Ｂ１〜Ｂ１６の吸気量と、排気装置Ｃ１〜Ｃ１６の排気量とが、ともに最大となるように設定されれば、事務所１５内の人の数によらず、十分に換気することができる。しかしながら、このような場合、調和空気の入れ換えられる量も多くなるため、空気調和機Ａ１〜Ａ１６の消費電力が増加する。本実施形態では、カメラ３０，３１、及びコンピュータ２１は、事務所１５内を撮影することにより、人がいる区画の人数を判断している。そして、コンピュータ２１は、前述のように、人がいる区画の人数に応じて吸気量を制御する。このため、本実施形態では、例えば、吸気量を最大に設定した場合と比較すると、適切に事務所１５内の空気を入れ換えつつ、空気調和機Ａ１〜Ａ１６の消費電力を抑制することができる。
【００４６】
また、本実施形態に示したように、人のいる区画７の吸気装置Ｂ７の動作は停止させている。このため、吸気装置Ｂ７の吸気口の吸気量は、ゼロもしくは、ほぼゼロとなる。したがって、本実施形態では、人のいる区画に外部の空気が吸気され、人のいる区画の温度が外部の空気により直接上昇されることを防ぐことができる。
【００４７】
また、例えば、コンピュータ２１は、人のいる区画７から最も遠い吸気装置Ｂ１３の吸気口の吸気量を制御している。このため、事務所１５の空気を入れ換える場合であって、人のいる区画７の温度への影響を軽減できる。
【００４８】
また、冷房時において人のいる区画７の設定温度は、事務所１５内で温度が最も低く設定されている。例えば、区画７における排気装置Ｃ７の排気口から、事務所１５内の空気が排気されると、最も冷却された空気が排気されることとなり、好ましくない。コンピュータ２１は、人のいる区画７から遠い区画１における排気装置Ｃ１の排気口から空気が排気され、人のいる区画７における排気装置Ｃ７の排気口はゼロとなるように排気装置Ｃ１〜Ｃ１６を制御している。このため、本実施形態では、空気調和機Ａ１〜Ａ１６を効率良く動作させることができる。
【００４９】
また、コンピュータ２１は、区画７の人数に基づいて、排気装置Ｃ１の排気口からの排気量を定めている。このため、事務所１５内における排気量を最大とする場合と比較すると、適切に事務所１５内の空気を入れ換えつつ、空気調和機Ａ１〜Ａ１６の消費電力を抑制することができる。
【００５０】
なお、上記の実施形態は本発明の理解を容易にするためのものであり、本発明を限定して解釈するためのものではない。本発明は、その趣旨を逸脱することなく、変更、改良され得ると共に、本発明にはその等価物も含まれる。
【００５１】
例えば、カメラ３０，３１の代わりに、区画１〜１６の夫々に、人の有無を検出する赤外線センサ等を設けることとしても良い。このような赤外線センサを用いた場合であっても、人のいる区画、人のいない区画を判定することは可能である。このため、コンピュータ２１は、赤外線センサの出力に基づいて、各区画の温度分布を設定することとしても良い。
【００５２】
また、コンピュータ２１は、人のいる区画を中心に設定温度を設定することとしたが、これに限られるものでは無い。例えば、コンピュータ２１は、事務所１５内の人のいる位置に基づいて、人の重心位置を算出しても良い。そして、コンピュータ２１は、重心位置が含まれる区画を中心に設定温度を変化させることとしても良い。なお、重心位置が、例えば区画７に含まれる場合、コンピュータ２１は、例えば、図７に示した場合と同様に各区画の温度を設定する。
【００５３】
さらに、コンピュータ２１は、前述の重心位置に基づいて吸排気の位置を定めることとしても良い。
【００５４】
また、被調和室へ、冷却された調和空気を複数の送風口から前記被調和室内に設けられた温度センサ毎の付近の温度が設定温度になるように供給する構成を有すると共に前記被調和室内の空気を排気する複数の排気口を備えた空調システムにおいて、前記被調和室内に居る人の位置に基づく中心位置から外周側に向かって前記設定温度が順に高くなるように設定する温度設定部と、前記中心位置から遠い位置に設けられた排気口からの空気の排気量を当該排気口より前記中心位置に近い排気口の排気量より多くする排気制御部とを備えることとしても良い。
【符号の説明】
【００５５】
１０  空調システム
１５  事務所
２０  コントローラ
２１  コンピュータ
３０，３１  カメラ
４０  通信用アダプタ
４１  インターフェース（ＩＦ）装置
４５  室外機
７０  メモリ
７１  ＣＰＵ
８０  検出部
８１  人数判断部
８２  温度算出部
８３  照度算出部
８４  吸排気量算出部
８５，８６  選択部
８７  制御部  
Ａ１〜Ａ１６  空気調和機  
Ｂ１〜Ｂ１６  吸気装置
Ｃ１〜Ｃ１６  排気装置
Ｄ１〜Ｄ１６  照明
【図１】
2011158153.tif 000003
【図２】
2011158153.tif 000004
【図３】
2011158153.tif 000005
【図４】
2011158153.tif 000006
【図５】
2011158153.tif 000007
【図６】
2011158153.tif 000008
【図７】
2011158153.tif 000009
【図８】
2011158153.tif 000010
【図９】
2011158153.tif 000011
【図１０】
2011158153.tif 000012